(57)【要約】      （修正有）【課題】装着時の安定性がよく、また、イヤーウォーマー単独としても使用可能なマスク付きイヤーウォーマーを提供する。【解決手段】イヤーウォーマー本体１とマスク本体２からなる。前記イヤーウォーマー本体１は、着用者の両耳を覆う２つの耳カップ１１と、これらの耳カップを連結するバンド１２と、前記耳カップに設けた第１結合手段３１を有する。前記マスク本体２は、着用者の鼻と口を覆い、前記イヤーウォーマーの２つの耳カップ１１に達する布状体２０と、この布状体の上に設けた第２結合手段３２を有する。前記第１結合手段３１と前記第２結合手段３２は係脱自在である。【選択図】図１
0003183843.tif 000002
【実用新案登録請求の範囲】
【請求項１】
イヤーウォーマー本体（１，１Ａ，１Ｂ，１Ｃ）とマスク本体（２，２Ａ，２Ｂ，２Ｃ）からなり、
前記イヤーウォーマー本体（１，１Ａ，１Ｂ，１Ｃ）は、着用者の両耳を覆う２つの耳カップ（１１，１１Ａ，１１Ｂ，１１Ｃ）と、これらの耳カップを連結するバンド（１２，１２Ａ，１２Ｂ，１２Ｃ）と、前記耳カップに設けた第１結合手段（３１，３１Ａ，３１Ｂ，３１Ｃ）を有し、
前記マスク本体（２）は、着用者の鼻と口を覆い、前記イヤーウォーマーの２つの耳カップ（１１，１１Ａ，１１Ｂ，１１Ｃ）に達する布状体（２０，２０Ａ，２０Ｂ，２０Ｃ）と、この布状体の上に設けた第２結合手段（３２，３２Ａ）を有し、
前記第１結合手段（３１，３１Ａ，３１Ｂ，３１Ｃ）と前記第２結合手段（３２，３２Ａ）が係脱自在であることを特徴とするマスク付きイヤーウォーマー。
【請求項２】
前記耳カップ（１１Ｂ，１１Ｃ）にポケット（１３Ｂ，１３Ｃ）を設け、不使用時の前記マスク本体（２Ｂ，２Ｃ）を収納可能とした請求項１記載のマスク付きイヤーウォーマー。
【請求項３】
前記マスク本体（２Ｂ）を２分割可能としておき、２つの耳カップのポケット（１３Ｂ）それぞれに、半分となった前記マスク本体（２Ｂ）を収納可能とした請求項２記載のマスク付きイヤーウォーマー。
【請求項４】
前記耳カップ（１１Ｃ）と前記バンド部（１２Ｃ）に細長いポケット部（１３Ｃ）を１個設けて、このポケット部（１３Ｃ）に前記マスク本体（２Ｃ）を分割しないまま収納可能とした請求項２記載のマスク付きイヤーウォーマー。
【請求項５】
第１結合手段（３１，３１Ａ，３１Ｂ，３１Ｃ）及び第２結合手段（３２，３２Ａ）が、スナップボタン、面ファスナ、スライドファスナ、のいずれかである請求項１〜４のいずれかに記載のマスク付きイヤーウォーマー。
【考案の詳細な説明】
【技術分野】
【０００１】
本考案は、マスクの付いたイヤーウォーマー（耳当て）に関する。
【背景技術】
【０００２】
周知のように、マスクは風邪の予防や感染拡散の防止のために古くから使用され、最近では花粉、黄砂、ＰＭ２.５などの微粒子の吸入防止のために使用されることが多くなっている。そればかりではなく、例えば、スキー、サッカー、ストリートバスケットなどのスポーツにおいて顔面に装着使用する防寒マスクとしても用いられる。イヤーウォーマーはいうまでもなくもっぱら耳の防寒対策として用いられる。
【０００３】
この二者は別々に使用されるのが通常であるが、過去の特許公報を見ると一体化したものも下記特許文献に見られるように知られている。
【先行技術文献】
【特許文献】
【０００４】
【特許文献１】特開昭６３―１３２６７３号
【特許文献２】特開２００４―２２３２０５
【考案の概要】
【考案が解決しようとする課題】
【０００５】
上記２従来発明は、単にマスク両端部で両耳を覆っているだけのものであり、マスクとしても耳当てとしても安定性が悪いようである。また、マスクとイヤーウォーマーは分離ができないので、イヤーウォーマーだけを使用しようと思ってもそれができないという不都合がある。
【０００６】
本考案は、これらの問題を克服するもので、装着時の安定性がよく、また、イヤーウォーマー単独としても使用可能なものを提供することを目的とする。
【課題を解決するための手段】
【０００７】
上記目的を達成する本考案のマスク付きイヤーウォーマーは、イヤーウォーマー本体とマスク本体からなり、前記イヤーウォーマー本体は、着用者の両耳を覆う２つの耳カップと、これらの耳カップを連結するバンドと、前記耳カップに設けた第１結合手段を有し、前記マスク本体は、着用者の鼻と口を覆い、前記イヤーウォーマーの２つの耳カップに達する布状体と、この布状体の上に設けた第２結合手段を有し、前記第１結合手段と前記第２結合手段が係脱自在であることを特徴とする（請求項１）。
【０００８】
好ましくは、前記耳カップにポケットを設け、不使用時の前記マスク本体を収納可能とする（請求項２）。その際、前記マスク本体を２分割可能としておき、２つの耳カップのそれぞれに、半分となった前記マスク本体を収納可能とすることができる（請求項３）または、前記耳カップと前記バンド部に細長いポケット部を１個設けて、ここに前記マスク本体を分割しないまま収納することもできる（請求項４）。
【０００９】
第１、第２結合手段は、例えば、スナップボタン、面ファスナ、スライドファスナ、などである（請求項５）。
【考案の効果】
【００１０】
本考案によれば、マスクとしても耳当てとしても安定的に使用することができるマスク付きイヤーウォーマーが得られる。また、請求項２〜４の考案では、マスクとイヤーウォーマーは分離可能なので、マスクを外してイヤーウォーマーだけを使用することもできる。さらに不使用時のマスクをイヤーウォーマーの中に収納することができる。
【００１１】
以下、添付の図面に基づき本考案の実施例を説明する。
【図面の簡単な説明】
【００１２】
【図１】本考案第１実施例であり、（ａ）は着用時の組立状態の斜視図、（ｂ）は分離状態の斜視図である。
【図２】本考案第２実施例であり、（ａ）は着用時の組立状態の斜視図、（ｂ）は分離状態の斜視図である。
【図３】本考案第３実施例であり、（ａ）は着用時の組立状態の斜視図、（ｂ）は分離状態の斜視図である。
【図４】本考案第４実施例であり、（ａ）は着用時の組立状態の斜視図、（ｂ）は分離状態の斜視図である。
【実施例１】
【００１３】
図１に示す第１実施例では、イヤーウォーマー本体１とマスク本体２を着脱可能にするために、イヤーウォーマー１の両耳カップ１１外部とマスク両端２１部の内側に一対の雌雄スナップボタン３１，３２を配置している。
【００１４】
ここで、イヤーウォーマー本体１は、本出願人が特開２００９―０００４９９で紹介したタイプのもので、着用者の両耳を覆う２つの耳カップ１１と、これらの耳カップを連結するバンド１２からなる。
【００１５】
マスク本体２は、鼻と口を覆い両耳まで達する布状体２０を有する立体カップ型のものである。この種のマスクは、例えば、スキーヤーがスキー場において顔面に装着使用するスキー用防寒マスクに用いられる。材質としては、柔らかく弾力性に富み立体成形されて顔面へのフィット性が優れ、かつ蒸れない、ものが好ましく、例えば実開平６―６６７４７、特開平８―８９６１６などで紹介されているものを使用することができる。
【００１６】
このマスク２付きイヤーウォーマー１は、ボタン３１，３２を外すことにより、マスク２とイヤーウォーマー１に分離可能である。
【実施例２】
【００１７】
図２に示す第２実施例では、イヤーウォーマー本体１Ａとマスク本体２Ａを着脱可能にするために、イヤーウォーマーの両耳カップ１１Ａ外部とマスク両端部２１Ａの内側に一対の面ファスナ３１Ａ，３２Ａを配置している。
【００１８】
ここでイヤーウォーマー本体１Ａとマスク本体２Ａは、第１実施例と同様である。
【００１９】
このマスク付きイヤーウォーマーは、面ファスナ３１Ａ，３２Ａを外すことにより、マスクとイヤーウォーマーに分離可能である。
【実施例３】
【００２０】
図３に示す第３実施例では、イヤーウォーマー１Ｂとマスク２Ｂを着脱可能にするために、第１実施例と同様、イヤーウォーマーの両耳カップ１１Ｂ外部とマスク両端２１Ｂ部の内側に一対の雌雄スナップボタン３１Ｂ，３２Ｂを配置している。
【００２１】
ここでイヤーウォーマー本体２Ｂは、両耳カップ１１Ｂにポケット１３Ｂが設けられている点で第１実施例と異なる。マスク２Ｂは、中央部２２Ｂ（顔の正面）で２分割が可能なことで第１実施例と異なる。マスクの分割及び再結合は、雌雄ボタン４Ｂを少なくとも２対設けることによる。
【００２２】
マスクを分割可能とする目的は、分割後、半分の大きさとなったマスク２Ｂを前記ポケット１３Ｂ内に収容可能とするためである。このようにすれば、マスク２Ｂを使用しないときにイヤーウォーマー１Ｂ内に収容しておくことができるため、マスクを紛失することがない。
【実施例４】
【００２３】
図４に示す第４実施例では、イヤーウォーマー本体１Ｃとマスク本体２Ｃを着脱可能にするために、第１実施例と同様、イヤーウォーマーの両耳カップ１１Ｃ外部とマスク両端２１Ｃ部の内側に一対の雌雄スナップボタン３１Ｃ，３２Ｃを配置している。
【００２４】
ここでイヤーウォーマー本体１Ｃは第３実施例とよく似ているが、両耳カップ１１Ｃ及びバンド１２Ｃにかけて１個の細長いポケット１３Ｃが設けられている点で異なる。ポケット１３Ｃを開閉するのは少なくとも２対の雌雄ボタンである。マスク本体２Ｃは、第１実施例と同じである。
【００２５】
この実施例では、マスク本体２Ｃは、不使用時には前記ポケット１３Ｃ内に折りたたんだ状態で収容される。このようにすれば、マスクを使用しないときにイヤーウォーマー内に収容しておくことができるため、マスクを紛失することがない。
【符号の説明】
【００２６】
１，１Ａ，１Ｂ，１Ｃ    イヤーウォーマー本体
１１，１１Ａ，１１Ｂ，１１Ｃ    耳カップ
１２，１２Ａ，１２Ｂ，１２Ｃ    バンド
１３Ｂ，１３Ｃ  ポケット
２，２Ａ，２Ｂ，２Ｃ    マスク本体
２０，２０Ａ，２０Ｂ，２０Ｃ  布状体
２１，２１Ａ，２１Ｂ，２１Ｃ  マスク両端
２２Ｂ  中央部
３１，３２  雌雄ボタン
３１Ａ，３２Ａ  面ファスナ
３１Ｃ，３２Ｃ  雌雄スナップボタン
４Ｂ    雌雄ボタン
【図１】
0003183843.tif 000003
【図２】
0003183843.tif 000004
【図３】
0003183843.tif 000005
【図４】
0003183843.tif 000006